(57)【要約】【目的】ゴミの状態に関わらず掃き寄せが可能な箒及びこれを用いた清掃方法を提供する。【構成】複数本の箒毛を束ねると共に筒状体に収納した箒毛束を柄の先端に取り付けて強度補強を施した強度補強箒であって、前記筒状体が揺動自在のコイルスプリングであることを特徴とする強度補強箒、及び、複数本の箒毛を束ねた箒毛束が、これを囲むコイルスプリングによって揺動しながら、ゴミを掃き寄せることを特徴とする清掃方法である。【選択図】        図１
2005065927.tif 000002
【特許請求の範囲】
【請求項１】
複数本の箒毛を束ねると共に筒状体に収納した箒毛束を柄の先端に取り付けて強度補強を施した強度補強箒であって、前記筒状体が揺動自在のコイルスプリングであることを特徴とする強度補強箒。
【請求項２】
前記コイルスプリングの少なくとも一部が前記箒毛束に密着している構成であることを特徴とする請求項１記載の強度補強箒。
【請求項３】
前記コイルスプリングが根元部より先端部方向に向かって次第に拡開している構成であることを特徴とする請求項１又は２に記載の強度補強箒。
【請求項４】
前記コイルスプリングの少なくとも頭部が、隣接するコイル部が密着している構成であることを特徴とする請求項１〜３のいずれかに記載の強度補強箒。
【請求項５】
複数本の箒毛を束ねた箒毛束が、これを囲むコイルスプリングによって揺動しながら、ゴミを掃き寄せることを特徴とする清掃方法。
【発明の詳細な説明】
【技術分野】
【０００１】
本発明は強度補強箒及び清掃方法に関する。
【背景技術】
【０００２】
箒は、床面等を清掃する場合、床面に載っただけのゴミは掃き取ることができるが、例えば、工場の床面にへばり付いている廃油の含浸したゴミなどの場合、箒で掃き寄せて除去することは極めて困難である。
【０００３】
そこで、掃き寄せ難いゴミの除去も可能な箒が種々提案されている（特許文献１及び２等参照）。
【０００４】
特許文献１に記載の技術は、箒毛の束に隣接するように短冊状の板体を配設した構成であり、該板体を床面に押し付けることで箒毛のみでは寄せ集め困難な油含浸ゴミなどの除去を可能としている。
【０００５】
特許文献２に記載の技術は、箒毛の中にワイヤを混入装着することで、屋外の濡れたゴミなどを掃き寄せることを可能としている。
【０００６】
【特許文献１】特開平８−２２８９８６号公報
【特許文献２】特開平８−３８４１２号公報
【発明の開示】
【発明が解決しようとする課題】
【０００７】
しかし、特許文献１の技術では、短冊状の板体部分を使用するには、箒毛束部分を湾曲させる必要があるため、箒毛部分の変形が避けられず、該箒毛部分が変形した場合、短冊状の板体の方が床面に先に接触してしまうようになってしまうため、箒毛部分による通常のゴミの掃き寄せに支障をきたす恐れがある。
【０００８】
また、特許文献２の技術では、箒毛とワイヤが略同じ長さであることからワイヤが床面等に常に接触するので、箒毛部分のみによる通常の掃き寄せが出来ない。従って、床面等を傷つける恐れがあるため、屋内等の清掃に用いることができないだけでなく、箒毛部分のみによる細かなゴミの繊細な掃き寄せも困難である。
【０００９】
そこで本発明の課題は、ゴミの状態に関わらず掃き寄せが可能な箒及びこれを用いた清掃方法を提供することにある。
【課題を解決するための手段】
【００１０】
上記課題を解決する本発明は下記構成を有する。
【００１１】
１．複数本の箒毛を束ねると共に筒状体に収納した箒毛束を柄の先端に取り付けて強度補強を施した強度補強箒であって、前記筒状体が揺動自在のコイルスプリングであることを特徴とする強度補強箒。
【００１２】
２．前記コイルスプリングの少なくとも一部が前記箒毛束に密着している構成であることを特徴とする上記１記載の強度補強箒。
【００１３】
３．前記コイルスプリングが根元部より先端部方向に向かって次第に拡開している構成であることを特徴とする上記１又は２に記載の強度補強箒。
【００１４】
４．前記コイルスプリングの少なくとも頭部が、隣接するコイル部が密着している構成であることを特徴とする上記１〜３のいずれかに記載の強度補強箒。
【００１５】
５．複数本の箒毛を束ねた箒毛束が、これを囲むコイルスプリングによって揺動しながら、ゴミを掃き寄せることを特徴とする清掃方法。
【発明の効果】
【００１６】
本発明によれば、掃き寄せ難いゴミの状態に関わらず掃き寄せが可能な箒及びこれを用いた清掃方法を提供することができる。
【００１７】
本発明は、複数本の箒毛を束ねた箒毛束を揺動自在のコイルスプリングに収納したことにより、箒としての柔軟性・しなやかさを維持したまま箒毛の硬度・剛性を高めることなく箒毛部分の強度を高めることができるため、箒毛部分による通常のゴミの繊細な掃き寄せが可能であり、コイルスプリング部分を使った油含浸などの通常の箒では掃き寄せ難いゴミの掃き寄せも可能である。
【発明を実施するための最良の形態】
【００１８】
図１は本発明に係る強度補強箒の一実施例を示す正面図、図２は箒毛束の要部拡大斜視図、図３は箒毛束の他の実施例を示す要部拡大正面図、図４は箒毛束の更に他例を示す要部拡大正面図、図５は本発明に係る強度補強箒の他の実施例を示す正面図、図６は図５の要部拡大底面図、図７は本発明に係る強度補強箒の他の実施例を示す斜視図である。
【００１９】
図１において、本発明に係る強度補強箒１は、複数本の箒毛２を束ねた箒毛束３・３・３・・・、該箒毛束３の夫々を収納した筒状体である揺動自在のコイルスプリング４、コイルスプリング４に収納した箒毛束３を任意の間隔で複数束植え付ける基体５、該基体５に延伸取付されている柄６、とから主として構成されている。
【００２０】
箒毛束３は、一束当り通常２０〜６０本、概ね３０本程度の箒毛２を基体５に穿れた植付孔に差し込むことで箒毛束３となる構成である。
【００２１】
箒１の箒毛２の材質としては、公知公用の箒材料と同様のものが用いられ、竹枝、ホウキギ、シュロ、シダ、わら、ハギ等の天然素材の他、合成樹脂等の材料を用いてもよい。
【００２２】
箒毛束３を収納する筒状体である揺動自在のコイルスプリング４としては、金属製、合成樹脂製等の公知のコイルスプリング４が用いられる。金属製の場合、合成樹脂で被覆コーティングしたものでもよい。
【００２３】
図２に示すように、箒毛束３の先端部はコイルスプリング４の下端（頭部）より突出させており、かかる突出程度としては、箒毛束３の長さＬに対する箒毛束３の先端を含む下部の突出長さｌは、例えば、箒毛束３の長さＬが５０〜３００ｃｍのときｌは１〜１０ｃｍであることが好ましい。
【００２４】
箒毛束３と該箒毛束３を収納するコイルスプリング４とは、少なくとも一部が密着していることが好ましく、基体５への植え込み側である根元部分が密着していることが特に好ましい。コイルスプリング４の柔軟性にも影響されるが、この箒毛束３への密着程度によって箒としての箒毛２の柔軟性・しなやかさを変更できる。即ち、同硬度の柔軟性を有するコイルスプリング４を比較した場合、収納する箒毛束３により多く密着している方が硬い性質を有することになる。
【００２５】
また、コイルスプリング４は、根元部４Ａから先端部４Ｂまで同径の筒状体でもよいが、好ましくは根元部４Ａより先端部４Ｂ方向に向かって次第に拡開していることである（図３参照）。拡開程度としては、例えば、根元部４Ａの径が２．５ｍｍの場合、先端部４Ｂの径は３．５ｍｍ程度であることが好ましい。
【００２６】
本発明に用いるコイルスプリング４は、図１〜図３に示すように、先端部分から根元部（基部）４Ａまでの全体が、隣接するコイル部が密着しているものであることが箒毛２の下端を挟着する恐れがないために好ましい。ただし、図４に示すようにコイルスプリング４の少なくとも先端部分について、隣接するコイル部が密着しており、他の部分は離開したコイル部であっても、この目的は達成できる。
【００２７】
本発明を適用可能な強度補強箒は、柄６の付いた箒に限らず、掃除機の吸込み口に取り付けられるアタッチメントの一種である吸引口装置（例えば、実開平７−２７４４８号、同７−３３２４８号、特開平９−２９４６９８号、特開２００１−２６９２９５号、同２００３−４８３号及び同２００３−１７４９８６号等）にも適用できる。
【００２８】
即ち、例えば、本発明が特開２００１−２６９２９５号の掃除機の吸引口装置に適用された例を図５に基づいて説明する。
【００２９】
先ず、図５の（Ａ）に示す実施例は、掃除機の吸引口装置７のフレキシブル管８の先端に、コイルスプリング４及び該コイルスプリング４に収納した箒毛２を取り付けた例である。フレキシブル管８・コイルスプリング４の内部は空洞であり、図６の（Ａ）に示すように吸引孔９が形成されており、該吸引孔９を通して掃除機の吸引力によってゴミが吸引される構成である。
【００３０】
次に、図５の（Ｂ）に示す実施例は、前記図５の（Ａ）のフレキシブル管８がコイルスプリング４で形成された例である。コイルスプリング４の内部は空洞であり、図６の（Ｂ）に示すように吸引孔９が形成されており、該吸引孔９を通して掃除機の吸引力によってゴミが吸引される構成である。
【００３１】
また、例えば、本発明が特開２００３−４８３号の吸引式掃除機のブラシ付きアタッチメントに適用された例を図７に基づいて説明する。
【００３２】
図７に示す実施例は、掃除機の吸引口装置７の吸引孔９の周囲に配設されたブラシをコイルスプリング４及び箒毛２（箒毛束３）に代えた構成である。箒毛束３によって掃き寄せられたゴミは吸引孔９から掃除機に吸引されるが、コイルスプリング４及び箒毛２の内部を前記図６の（Ｂ）に示したように空洞として、該空洞部を吸引孔９としてもよい。
【図面の簡単な説明】
【００３３】
【図１】本発明に係る強度補強箒の一実施例を示す正面図
【図２】箒毛束の要部拡大斜視図
【図３】箒毛束の他の実施例を示す要部拡大正面図
【図４】箒毛束の更に他例を示す要部拡大正面図
【図５】本発明に係る強度補強箒の他の実施例を示す正面図
【図６】図５の要部拡大底面図
【図７】本発明に係る強度補強箒の他の実施例を示す斜視図
【符号の説明】
【００３４】
１    箒
２    箒毛
３    箒毛束
４    コイルスプリング
４Ａ  根元部
４Ｂ  先端部
５    基体
６    柄
７    吸引口装置
８    フレキシブル管
９    吸引孔
【図１】
2005065927.tif 000003
【図２】
2005065927.tif 000004
【図３】
2005065927.tif 000005
【図４】
2005065927.tif 000006
【図５】
2005065927.tif 000007
【図６】
2005065927.tif 000008
【図７】
2005065927.tif 000009